(57)【要約】【課題】本発明の課題は、フィット性を向上させ、かつ、吸収速度が増大するとともに、逆戻り量が低減され、トップシート内に吸収した体液が残留しにくい、吸収性物品を提供することである。【解決手段】トップシートと、バックシートと、吸収体と、を有する吸収性物品において、トップシートを、液透過性の不織布シートであって、身体側の上層トップシートと、衣類側の下層トップシートの２層から構成するものとし、トップシートから吸収体にかけて所定のチャネルエンボスを形成し、トップシートにおけるチャネルシエンボスの内側部分に所定のスリットを設けて、上下に積層したトップシートに設けられたスリットを、厚さ方向に重ならないように構成する、吸収性物品である。【選択図】図１
2018015386.tif 000002
【特許請求の範囲】
【請求項１】
液透過性のトップシートと、液不透過性のバックシートと、前記トップシート及び前記バックシートの間に配置された吸収体と、を有する吸収性物品であって、
前記トップシートは、液透過性の不織布シートであり、身体側の上層トップシートと衣類側の下層トップシートの２層から構成され、
前記トップシートから前記吸収体にかけて、前記吸収性物品の長手方向に沿って延在する左右一対のチャネルエンボスが形成され、
左右一対の前記チャネルエンボスは、長手方向の前端部及び後端部で接続され、
前記チャネルエンボスの長手方向の前端部の形状は長手方向の前部に向かって凸型であり、長手方向の後端部の形状は長手方向の後部に向かって凸型であり、
前記トップシートにおける、前記チャネルエンボスの内側部分には、前記吸収性物品の長手方向に沿って、前記トップシートを貫通するスリットが間欠的に設けられ、
積層された各前記トップシートに設けられた前記スリットは、厚さ方向で重なっていない、吸収性物品。
【請求項２】
前記スリットは、直線状である、請求項１に記載の吸収性物品。
【請求項３】
前記上層トップシートにおいて、前記スリットは、長手方向の寸法が５ｍｍ以上３０ｍｍ以下であり、
各前記スリットは、長手方向に５ｍｍ以上３０ｍｍ以下の間隔で配置され、幅方向に５ｍｍ以上３０ｍｍ以下の間隔で配置されている、請求項１又は２に記載の吸収性物品。
【請求項４】
前記下層トップシートにおいて、前記スリットは、長手方向の寸法が５ｍｍ以上３０ｍｍ以下であり、
各前記スリットは、長手方向に５ｍｍ以上３０ｍｍ以下の間隔で配置され、幅方向に、一つ上の層におけるスリットに対して、２ｍｍ以上１５ｍｍ以下の間隔で配置されている、請求項１から３のいずれか一項に記載の吸収性物品。
【請求項５】
前記スリットの幅方向の寸法が、０．５ｍｍ以上、２．５ｍｍ以下である、請求項１から４のいずれか一項に記載の吸収性物品。
【請求項６】
前記上層トップシートの坪量は前記下層トップシートの坪量以下であり、前記上層トップシートの坪量は、１３ｇ／ｍ２以上３０ｇ／ｍ２以下であり、前記下層トップシートの坪量は、１８ｇ／ｍ２以上４０ｇ／ｍ２以下である、請求項１から５のいずれか一項に記載の吸収性物品。
【請求項７】
前記トップシートを構成する前記不織布シートが、エアスルー不織布である、請求項１から６のいずれか一項に記載の吸収性物品。
【発明の詳細な説明】
【技術分野】
【０００１】
本発明は、吸収性能が高く、かつフィット性に優れた吸収性物品に関する。
【背景技術】
【０００２】
一般的に吸収性物品には、テープ止めタイプ、軽失禁パッド、尿取りパッド、パンツタイプ等があり、着用対象者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ここで、軽失禁パッドは、フィット性と肌触りが良いことが要求される。特に、繊細な肌への刺激を低減させるために、軽失禁製品が着用部の形に沿うようにフィットすることが重要である。例えば、トップシートにチャネルエンボスを形成することで、形成されたチャネルエンボスに沿って吸収性物品が湾曲しやすくなり、フィット性を向上させることができる。ところが、チャネルエンボスの形成過程において吸収体が押し潰されてフラッフが固くなることがあり、フィット性は向上するが、体液の浸透性が悪化し、吸収速度が阻害される場合もある。
【０００４】
一方で、軽失禁パッドは、フィット性の他に、吸収性能が高いことも要求される。吸収性能については、（１）吸収速度が速いこと、及び（２）逆戻り量が少ないこと、の２点が重要であるといわれているが、一般には、上記の２つの性能を同時に最大化させることは困難であり、一方の性能を向上させた場合には、他方の性能が低下するというような問題が従来指摘されていた。
【０００５】
例えば、吸収性物品において逆戻り量を最小化したい場合、吸収体に高吸収性ポリマーを多量に配合するか、高吸収性ポリマーの位置をトップシート側に調整する、というような方法を採用することができるが、その反動として、高吸収性ポリマーによるゲルブロックが発生して吸収速度が低下してしまうことが知られている。また、逆に、吸収性物品において、吸収速度を増大させたい場合、フラッフパルプの量を増やしたり、液拡散シートを配置したりする等といった方法が採用できるが、その反動として、加圧したときの逆戻り量が増加してしまうことが知られていた。さらに、高吸収性ポリマーやフラッフパルプの量をともに増大させることにより、吸収速度の増大と逆戻り量の抑制の両者を、ある程度まで改善することも可能であるが、各種材料の使用量の増大に伴い、コスト高となるおそれがあった。
【０００６】
他方、トップシートやセカンドシートにスリットや開孔を設けて、吸収性物品の吸収性能を向上させる技術が、以下の特許文献に開示されている。
【０００７】
例えば、特許文献１には、少なくとも身体側表面側に配置され、トップシート及び複数の開孔を有するメッシュシートを粘着することにより形成されている表面シートと、外面側に配置されているバックシートと、両シート間に介在される吸収体とにより構成される吸収性物品が開示されている。また、特許文献２には、トップシートとバックシートとこれらの間に配された吸収体とを有するとともに、トップシートと吸収体との間にセカンドシートが配されて、このセカンドシートが、トップシート側から不織布層とプラスチックフィルム層とを有する積層体から構成され、複数の貫通孔が形成されていることを特徴とする吸収性物品が開示されている。
【先行技術文献】
【特許文献】
【０００８】
【特許文献１】特開２００６−１４９４５７号公報
【特許文献２】特開２０１６−０１９６１６号公報
【発明の概要】
【発明が解決しようとする課題】
【０００９】
しかしながら、上記のいずれの吸収性物品によっても、フィット性や吸収性能が必ずしも十分ではないという問題があった。さらに、これらの吸収性物品を構成するトップシートやセカンドシートに、肌触り性やクッション性を付与するために嵩高な不織布を使用する場合、吸収した体液がトップシートやセカンドシートの厚さ方向に残存してしまい、これが液戻りにつながってしまうという懸念もある。
【００１０】
したがって、本発明は、以上の課題に鑑みてなされたものであり、フィット性を向上させ、かつ、吸収速度が増大するとともに、逆戻り量が低減され、トップシート内に吸収した体液が残留しにくい、吸収性物品を提供することを目的とする。
【課題を解決するための手段】
【００１１】
本発明の発明者は、上記課題に鑑み、鋭意研究を行った。その結果、トップシートと、バックシートと、吸収体と、を有する吸収性物品において、トップシートを、液透過性の不織布シートであって、身体側の上層トップシートと、衣類側の下層トップシートの２層から構成するものとし、トップシートから吸収体にかけて所定のチャネルエンボスを形成し、トップシートにおけるチャネルシエンボスの内側部分に所定のスリットを設けて、上下に積層したトップシートに設けられたスリットを、厚さ方向に重ならないように構成することにより、上記課題を解決できることを見出し、本発明を完成するに至った。具体的には、本発明は以下のものを提供する。
【００１２】
（１）本発明の第１の態様は、液透過性のトップシートと、液不透過性のバックシートと、前記トップシート及び前記バックシートの間に配置された吸収体と、を有する吸収性物品であって、前記トップシートは、液透過性の不織布シートであり、身体側の上層トップシートと衣類側の下層トップシートの２層から構成され、前記トップシートから前記吸収体にかけて、前記吸収性物品の長手方向に沿って延在する左右一対のチャネルエンボスが形成され、左右一対の前記チャネルエンボスは、長手方向の前端部及び後端部で接続され、前記チャネルエンボスの長手方向の前端部の形状は長手方向の前部に向かって凸型であり、長手方向の後端部の形状は長手方向の後部に向かって凸型であり、前記トップシートにおける、前記チャネルエンボスの内側部分には、前記吸収性物品の長手方向に沿って、前記トップシートを貫通するスリットが間欠的に設けられ、積層された各前記トップシートに設けられた前記スリットは、厚さ方向で重なっていない、吸収性物品。である。
【００１３】
（２）本発明の第２の態様は、（１）に記載の吸収性物品であって、前記スリットは、直線状であることを特徴とするものである。
【００１４】
（３）本発明の第３の態様は、（１）又は（２）に記載の吸収性物品であって、前記上層トップシートにおいて、前記スリットは、長手方向の寸法が５ｍｍ以上３０ｍｍ以下であり、各前記スリットは、長手方向に５ｍｍ以上３０ｍｍ以下の間隔で配置され、幅方向に５ｍｍ以上３０ｍｍ以下の間隔で配置されていることを特徴とするものである。
【００１５】
（４）本発明の第４の態様は、（１）から（３）のいずれかに記載の吸収性物品であって、前記下層トップシートにおいて、前記スリットは、長手方向の寸法が５ｍｍ以上３０ｍｍ以下であり、各前記スリットは、長手方向に５ｍｍ以上３０ｍｍ以下の間隔で配置され、幅方向に、一つ上の層におけるスリットに対して、２ｍｍ以上１５ｍｍ以下の間隔で配置されていることを特徴とするものである。
【００１６】
（５）本発明の第５の態様は、（１）から（４）のいずれかに記載の吸収性物品であって、前記スリットの幅方向の寸法が、０．５ｍｍ以上、２．５ｍｍ以下であることを特徴とするものである。
【００１７】
（６）本発明の第６の態様は、（１）から（５）のいずれかに記載の吸収性物品であって、前記上層トップシートの坪量は前記下層トップシートの坪量以下であり、前記上層トップシートの坪量は、１３ｇ／ｍ２以上３０ｇ／ｍ２以下であり、前記下層トップシートの坪量は、１８ｇ／ｍ２以上４０ｇ／ｍ２以下であることを特徴とするものである。
【００１８】
（７）本発明の第７の態様は、（１）から（６）のいずれかに記載の吸収性物品であって、前記トップシートを構成する前記不織布シートが、エアスルー不織布であることを特徴とするものである。
【発明の効果】
【００１９】
本発明の吸収性物品は、トップシートを、液透過性の不織布シートであって、身体側の上層トップシートと衣類側の下層トップシートの２層から構成したので、２層の液透過性の不織布シートにより、吸収体からの液戻りが遮られ、逆戻り量を低減することができる。また、トップシートから吸収体にかけてチャネルエンボスを形成したので、フィット性を向上させることができる。そして、本発明の吸収性物品は、トップシートにスリットを設けたので、このスリットを介して吸収体に体液を吸収させることができる。このため、フィット性を向上させることができ、かつ、体液の吸収速度を増大させるとともに、不織布シートに体液が残留することを防止することができる。
【図面の簡単な説明】
【００２０】
【図１】吸収性物品の身体側の平面図である。
【図２】図１におけるＡ−Ａ断面図である。
【図３】（ａ）身体側の上層トップシートにおけるスリットの寸法と、スリット同士の間隔とを表す概略図であり、（ｂ）身体側の上層トップシートにおけるスリットと、衣類側の下層トップシートにおけるスリットとの間隔を同一平面上で表す概略図である。
【発明を実施するための形態】
【００２１】
以下、本発明を実施するための形態について、図面を参照して詳細に説明する。なお、以下に示す実施形態においては、同一の部材には同一の符号を付している。
【００２２】
＜吸収性物品＞
本明細書の説明において、吸収性物品１の着用時とは、吸収性物品１の装着時及び装着後の少なくとも一方をいう。吸収性物品１の長手方向とは、吸収性物品１が着用されたときに着用者の前後にわたる方向であり、図中、符号Ｙで示す方向である。また、吸収性物品１の幅方向とは、長手方向に対して横又は直交する方向であり、図中、符号Ｘで示す方向である。さらに、身体側表面とは、吸収体等の各部材の表裏両面のうち、着用時に着用者の肌側に配される面であり、衣類側表面とは、吸収体等の各部材の表裏両面のうち、着用時に着用者の肌側とは反対側に向けられる面である。体液とは、尿、血液、軟便中の水分等の体内から体外に排出された液体をいう。さらに、吸収性物品１の用途は、特に限定されるものではなく、一般には、幼児用又は成人用を問わず、テープ止めタイプの使い捨ておむつ、パンツタイプの使い捨ておむつ、尿取りパッド、軽失禁パッド、生理用品等であってもよい。
【００２３】
吸収性物品１は、身体側表面に配された液透過性のトップシート２１と、トップシート２１に対向して配置された液不透過性のバックシート２２と、トップシート２１とバックシート２２との間に少なくとも１層配置された吸収体２３と、を備えている。
【００２４】
また、吸収性物品１には、使用者の排泄した体液の横漏れを防止するため、吸収性物品１の長手方向に沿って、トップシート２１上の幅方向両端部に、立体ギャザー用弾性部材２７を有する一対の立体ギャザー２５を備えていてもよい。吸収性物品１の幅方向における立体ギャザー２５の外端は、バックシート２２に固定され、その内端はトップシート２１に固着され、その中央はトップシート２１に固定されない自由端となるように、立体ギャザーシート２６が配される。立体ギャザー用弾性部材２７を長手方向に沿って設けることで、立体ギャザー２５が起立性を有し、着用者の体型に合わせて変形可能なものとなる。立体ギャザー用弾性部材２７としては、例えば、ポリウレタン糸、帯状のポリウレタンフィルム、糸状又は帯状の天然ゴム等が使用され、立体ギャザーシート２６としては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００２５】
［トップシート］
トップシート２１は、体液が吸収体２３へと移動するような液透過性を備えた基材から形成すればよく、例えば、エアスルー不織布、サーマルボンド不織布、スパンボンド不織布等の不織布、サーマルボンド／スパンボンドを積層した複合不織布等から形成される。また、トップシート２１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２１には、ローション、酸化防止剤、抗炎症成分、ｐＨ調整剤、抗菌剤、保湿剤等を含有させてもよい。さらに、強度及び加工性の点から、トップシート２１を構成する不織布１枚あたりの坪量は、１３ｇ／ｍ２以上５０ｇ／ｍ２以下であることが好ましい。トップシート２１の形状としては特に制限はないが、漏れがないように体液を吸収体２３へと誘導するために必要とされる、吸収体２３を覆う形状であればよい。
【００２６】
本発明の吸収性物品１においては、身体側の上層トップシート２１１と、衣類側の下層トップシート２１２の２層から構成されている。上層トップシート２１１と下層トップシート２１２における液透過性の不織布シートの組み合わせとしては、同一の種類の不織布シートを組み合わせて用いてもよいし、異なる種類の不織布シートを組み合わせて用いてもよい。トップシート２１を構成する不織布シートとしては、エアスルー不織布から構成される不織布シートであることが好ましい。
【００２７】
身体側の上層トップシート２１１の坪量は、衣類側の下層トップシート２１２の坪量以下である。身体側の上層トップシート２１１の坪量は、１３ｇ／ｍ２以上３０ｇ／ｍ２以下であり、１５ｇ／ｍ２以上２０ｇ／ｍ２以下であることが好ましい。下層トップシート２１２の坪量は、１８ｇ／ｍ２以上４０ｇ／ｍ２以下であり、１８ｇ／ｍ２以上２５ｇ／ｍ２以下であることが好ましい。
【００２８】
（チャネルエンボス）
図１及び図２に示すように、本発明における吸収性物品１においては、トップシート２１から吸収体２３にかけて、吸収性物品１の長手方向に沿って延在する左右一対のチャネルエンボス２１３が形成される。左右一対のチャネルエンボス２１３は、図１において破線の円部分において図示されるように、長手方向の前端部２１３（ａ）及び後端部２１３（ｂ）で接続される。そして、チャネルエンボス２１３の長手方向の前端部２１３（ａ）の形状は長手方向の前部に向かって凸型であり、長手方向の後端部２１３（ｂ）の形状は長手方向の後部に向かって凸型である。これにより、吸収性物品１が着用部を覆うような形態をとるときに、チャネルエンボス２１３によって形成された溝が着用部の形に沿うように吸収性物品１を湾曲させやすくする。そのため、吸収性物品１のフィット性を向上させることができる。
【００２９】
（スリット）
本発明の吸収性物品１においては、トップシート２１における、チャネルエンボス２１３の内側部分に、吸収性物品１の長手方向に沿って、トップシート２１を貫通するスリット２１４が間欠的に設けられている。そして、積層されたトップシート２１に設けられたスリット２１４は、厚さ方向で重ならないようになっている。これにより、トップシート２１上に排出された体液は、スリット２１４を介して吸収体２３に吸収されるので、体液の迅速な吸収が担保されて吸収速度が増大するとともに、トップシート２１の内部に体液が残留することを防止することもできる。
【００３０】
本発明においては、図１に示すように、トップシート２１のそれぞれに設けられたスリット２１４は、長手方向に沿って直線状に間欠的に設けられていることが好ましい。トップシート２１のそれぞれに設けられるスリット２１４を直線状かつ、間欠的に配置することにより、上下に積層したトップシート２１のスリット２１４が互いに重ならない構成を、コストをかけずに容易に実現することができる。
【００３１】
図３（ａ）は、身体側の上層トップシート２１１におけるスリット２１４の寸法と、スリット２１４同士の間隔とを表す概略図である。本発明において、身体側の上層トップシート２１１のスリット２１４の長さは、スリット２１４の１本あたり、５ｍｍ以上３０ｍｍ以下であることが好ましく、１０ｍｍ以上２０ｍｍ以下であることがより好ましい。また、長手方向に隣接するスリット２１４は、５ｍｍ以上５０ｍｍ以下の間隔で互いに離間していることが好ましく、１５ｍｍ以上３０ｍｍ以下の間隔で互いに離間していることがより好ましい。スリット２１４の幅は、０．５ｍｍ以上２．５ｍｍ以下であることが好ましく、１．０ｍｍ以上２．０ｍｍ以下であることがより好ましい。身体側の上層トップシート２１１のスリット２１４の幅方向の離間距離は、５ｍｍ以上３０ｍｍ以下であることが好ましく、１０ｍｍ以上２０ｍｍ以下であることがより好ましい。身体側の上層トップシート２１１のスリット２１４の寸法を、上記の範囲内のものとすることにより、体液の迅速な吸収を担保しつつ、トップシート２１に残留する体液の量を低減することができる。
【００３２】
また、衣類側の下層トップシート２１２のスリット２１４の長さは、スリット２１４の１本あたり、５ｍｍ以上３０ｍｍ以下であることが好ましく、１０ｍｍ以上２０ｍｍ以下であることがより好ましい。また、長手方向に隣接するスリット２１４は、５ｍｍ以上５０ｍｍ以下の間隔で互いに離間していることが好ましく、１５ｍｍ以上３０ｍｍ以下の間隔で互いに離間していることがより好ましい。スリット２１４の幅は、０．５ｍｍ以上２．５ｍｍ以下であることが好ましく、１．０ｍｍ以上２．０ｍｍ以下であることがより好ましい。衣類側の下層トップシート２１２のスリット２１４の寸法を、上記の範囲内のものとすることにより、体液の迅速な吸収を担保しつつ、トップシート２１に残留する体液の量を低減することができる。
【００３３】
本発明においては、図３（ｂ）に示すように、身体側の上層トップシート２１１のスリット２１４と、衣類側の下層トップシート２１２のスリット２１４とは、厚さ方向で重ならないように配置され、幅方向に２ｍｍ以上１５ｍｍ以下離間していることが好ましい。下層トップシート２１２のスリット２１４は、上層トップシート２１１と下層トップシート２１２を積層した状態において、上層トップシート２１１のスリット２１４の幅方向両側に、２ｍｍ以上１５ｍｍ以下の離間距離をおいて設けられていてもよく、上層トップシート２１１のスリット２１４の片側のみに、２ｍｍ以上１５ｍｍ以下の離間距離をおいて設けられていてもよい。上層トップシート２１１と下層トップシート２１２を積層した状態において、トップシート２１に設けられたスリット２１４が上下方向に重なっていないことにより、トップシート２１の下層に位置する吸収体２３が直接肌に触れることを防止することができ、体液の逆戻りを抑制することができる。
【００３４】
［バックシート］
バックシート２２は、吸収体２３が保持している体液が衣類を濡らさないような液不透過性を備えた基材を用いて形成すればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００３５】
強度及び加工性の点から、バックシート２２の坪量は、１５ｇ／ｍ２以上４０ｇ／ｍ２以下であることが好ましい。また、バックシート２２は、非通気性であってもよく、装着時の蒸れを防止するため、通気性を持たせてもよい。バックシート２２に通気性を備えさせるためには、例えば、基材の樹脂フィルムにフィラーを配合したり、バックシート２２にエンボス加工を施したりすればよい。なお、フィラーとしては炭酸カルシウムを挙げることができ、その配合方法は、公知の方法を制限なく行うことができる。
【００３６】
［吸収体］
吸収体２３は、基材としての吸収性繊維と、高吸収性ポリマー（ＳＡＰ）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ、合成繊維、ポリマー繊維、非木材パルプ等を綿状に解繊したものを挙げることができる。吸収体２３の吸収性繊維は、フラッフパルプを用いる場合、吸収性能及び肌触りを損なわないよう、１００ｇ／ｍ２以上８００ｇ／ｍ２以下の坪量とすることが好ましい。
【００３７】
吸収体２３の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２３のＳＡＰ量は、吸収性能及び肌触りを損なわないよう、５０ｇ／ｍ２以上５００ｇ／ｍ２以下の坪量とすることが好ましく、１５質量％以上６０質量％以下の含有量とすることが好ましい。
【００３８】
吸収体２３において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体２３の形状の安定化の目的から、吸収体２３をキャリアシート２４に包むことが好ましい。キャリアシート２４の基材としては親水性を有するものであればよく、ティシュ、吸収紙、エアレイド不織布等の親水性不織布を挙げることができる。キャリアシート２４を複数備える場合は、キャリアシート２４の基材は同一のものであっても異なるものであってもよい。
【００３９】
吸収体２３は、上層吸収体と下層吸収体とを積層してなるものであることが好ましい。この場合、上層吸収体と下層吸収体の長手方向及び幅方向の長さは、上層吸収体の長さが下層吸収体の長さより長くてもよく、上層吸収体の長さが下層吸収体の長さと同じであってもよく、上層吸収体の長さが下層吸収体の長さより短くてもよい。
【００４０】
本発明の吸収性物品１は、吸収体２３に加え、２枚の不織布シートに高吸収性ポリマーを挟持したＳＡＰシートを有していてもよい。このようなＳＡＰシートを用いることにより、吸収性物品１の吸収性能をより向上させることができる。
【００４１】
＜吸収性物品の製造方法＞
吸収性物品１の製造方法は、周知の方法を採用することができ、例えば、（Ａ）吸収性繊維を高吸収性ポリマーとともに積繊して吸収体マットを作成し、吸収体２３を形成する工程、（Ｂ）トップシート２１と立体ギャザー２５をホットメルト系接着剤で固定・一体化する工程、（Ｃ）トップシート２１、立体ギャザー２５、及びバックシート２２の内側にホットメルト系接着剤を塗工する工程、（Ｄ）集合ドラムにおいて、吸収体２３の上部にトップシート２１を、吸収体２３の下部にバックシート２２を配置し、各構成部材を固定・一体化する工程、（Ｅ）吸収性物品１の半製品をカッター装置により製品寸法でカットし、個々の吸収性物品１を切り離す工程、を有する製造方法等を挙げることができる。そして、本発明においてトップシート２１を吸収体２３と積層するに先立って、任意のカッター等により、スリット２１４が形成された２１を、所定の位置に積層して、トップシート２１として用いればよい。また、トップシート２１と吸収体２３を積層した後に、トップシート２１から吸収体２３にわたるチャネルエンボス２１３を形成すればよい。
【実施例】
【００４２】
以下、本発明について、実施例を挙げて詳細に説明する。なお、本発明は以下に示す実施例に何ら限定されるものではない。
【００４３】
＜実施例１＞
（吸収性物品の作製）
上層吸収体として、パルプシートを粉砕して解繊したフラッフパルプ７ｇと、高吸収性ポリマー２ｇとをともに積繊した吸収体マットを準備し、長さ２５０ｍｍ、幅１００ｍｍにカットした。また、下層吸収体として、パルプシートを粉砕して解繊したフラッフパルプ８ｇと、高吸収性ポリマー５ｇとをともに積繊した吸収体マットを準備し、長さ２７０ｍｍ、幅１００ｍｍにカットした。上層吸収体及び下層吸収体を積層した吸収体を、トップシート及びバックシートとともに積層するとともに、１対の横漏れ防止用立体ギャザーを形成し、長さ３００ｍｍ、幅１２０ｍｍの吸収性物品を作製し、実施例１のサンプルとした。なお、身体側の上層トップシート（エアスルー不織布）の坪量は、１７ｇ／ｍ２であり、衣類側の下層トップシート（エアスルー不織布）の坪量は２０ｇ／ｍ２である。また、トップシートから吸収体にかけて、図１に示す形態のチャネルエンボスを形成し、トップシートにおける、チャネルエンボスの内側部分において、上層トップシートと下層トップシートに長さ１０ｍｍ、幅１ｍｍのスリットを、各スリットの長手方向の間隔が５ｍｍとなるように形成した。上層トップシートに形成したスリットの幅方向の間隔は１０ｍｍとし、上層トップシートに形成したスリットと、下層トップシートに形成したスリットとの幅方向の離間距離は５ｍｍとした。バックシートとしては、通気性ポリエチレンフィルム（坪量１８ｇ／ｍ２）を用いた。得られた吸収性物品の吸収速度、液戻り量、及びフィット性を以下に従って測定・評価した。
【００４４】
（吸収速度）
外径８０ｍｍの円柱の中央に内径３０ｍｍの穴が開いており、重さ２０００ｇとした測定治具を、トップシートを上に向けた状態で、吸収性物品の長手方向、かつ幅方向の中央部の上に置き、上部の穴から生理食塩水４０ｍｌ（温度３６±３℃）を投下し、生理食塩水が吸収性物品に接触した時点から、測定治具中央円内の円周に生理食塩水が完全に吸い込まれるまでを終点として時間を計測し、吸収速度とした。吸収性物品に生理食塩水が完全に吸収された後、３分間放置して、同様の吸収試験を計３回繰り返した。
【００４５】
（液戻り量）
吸収性物品の中央に生理食塩水３００ｍｌ（温度３６±３℃）を注入し、１０分経過後に、あらかじめ重量を測定したろ紙（ＡＤＶＡＮＴＥＣ社製Ｎｏ．２ろ紙、直径５５ｍｍ）１０枚を注入部の中心に置き、ろ紙の上にアクリルプレートと錘を載せた（圧力；３５ｇｆ／ｃｍ２）。錘を載せてから１分経過後に、ろ紙の重量を測り、試験前後のろ紙の重量差（ｇ）を液戻り量とした。液戻り量は、Ｎ＝１０サンプルについて行ったものの平均値とした。液戻り量が少ないほど吸収性能に優れる。
【００４６】
（フィット性評価）
各サンプルの吸収性物品について、３０歳以上の女性２０名に実際に装着してもらい、「フィットする」、「普通」、「フィットしない」のいずれかの評価を選択してもらった。その結果を以下の基準でフィット性の評価とした。
○    １５人以上が「フィットする」と回答
△    １０人以上１５人未満が「フィットする」と回答
×    １０人未満が「フィットする」と回答
【００４７】
（総合判定）
○：フィット性と吸収性能が共に良い
△：フィット性と吸収性能のどちらかが良い
×：フィット性と吸収性能の両方が悪い
【００４８】
＜実施例２＞
各トップシートに長さ１５ｍｍ、幅１ｍｍのスリットを、各スリットの長手方向の間隔が１５ｍｍとなるように形成し、上層トップシートに形成したスリットの幅方向の間隔は２０ｍｍ、上層トップシートに形成したスリットと、下層トップシートとに形成したスリットとの幅方向の離間距離は１０ｍｍとした点以外は、実施例１と同様に吸収性物品を作製した。
【００４９】
＜比較例１＞
トップシートにスリットを形成しなかった点以外は、実施例１と同様に吸収性物品を作製した。
【００５０】
＜比較例２＞
トップシートから吸収体にかけてチャネルエンボスを形成しなかった点以外は、実施例１と同様に吸収性物品を作製した。
【００５１】
以上の結果を表１に示す。
【表１】
2018015386.tif 000003
【００５２】
表１に示すように、実施例１及び実施例２の吸収性物品においては、身体側の上層トップシートの坪量を、衣類側の下層トップシートの坪量以下とし、さらに、トップシートにスリットを形成し、厚さ方向に重ならないように配置した。これにより、実施例１及び２の吸収性物品においては、比較例１の吸収性物品に比べ、吸収速度が増大するとともに、トップシートの保水量が低下して、逆戻り量も低減した。なお、実施例１の吸収性物品においては、実施例２の吸収性物品と比べて、トップシートにおいて、より小さいスリットがより細かく形成されていた。これにより、吸収体への液の吸い込みがより速くなり、トップシートの保水量がより低下することとなった。そのため、実施例１の吸収性物品は実施例２の吸収性物品よりも、より吸収速度が増大し、逆戻り量もより低減する結果となった。
【００５３】
表１に示すように、実施例１、実施例２及び比較例１の吸収性物品においては、トップシートから吸収体にかけてチャネルエンボスが形成されていたが、比較例２の吸収性物品においては、チャネルエンボスが形成されていなかった。これにより、実施例１及び実施例２においては、肌当接面へフィットしたという意見が非常に多く、比較例１においても同様の意見が多くあった一方で、比較例２では、肌当接面フィットしないという意見が大多数であった。そのため、フィットすると回答した人数は、実施例１においては１９人、実施例２において１８人、比較例１において１６人であり、フィット性評価の結果はそれぞれ○となった一方で、比較例２においては、フィットすると回答した人数は３人であり、フィット性評価の結果は×となった。このような結果より、本発明によれば、フィット性が向上され、かつ、吸収速度が増大されるとともに、逆戻り量が低減され、トップシート内に吸収した体液が残留しにくい吸収性物品を提供できることが分かった。
【符号の説明】
【００５４】
１            吸収性物品
２１          トップシート
２１１        上層トップシート
２１２        下層トップシート
２１３        チャネルエンボス
２１３（ａ）  前端部
２１３（ｂ）  後端部
２１４        スリット
２２          バックシート
２３          吸収体
２４          キャリアシート
２５          立体ギャザー
２６          立体ギャザーシート
２７          立体ギャザー用弾性部材
Ｙ            長手方向
Ｘ            幅方向
【図１】
2018015386.tif 000004
【図２】
2018015386.tif 000005
【図３】
2018015386.tif 000006